(57)【要約】【課題】特に鏡胴の近傍にＡＥ装置の受光部を設けた場合に、鏡胴に近い部分に広い範囲を遮光する広域遮光部が形成された遮光マスクを配設することにより、鏡胴の外周面で反射して受光装置に入射しようとする光を極力遮断するカメラの測光装置を提供する。【解決手段】撮影レンズのレンズ鏡胴３の近傍にＡＥ測光窓２１を設け、その後方に集光レンズ２２、受光素子２３を配する。集光レンズ２２の入射側の表面に可撓性を備えた薄肉の遮光マスク２４を貼着する。遮光マスク２４には、一部が円弧状でその他の部分が該円弧の弦に沿った形状の開口２４ａ　を形成し、該弦の外側に広域遮光部２６を形成する。遮光マスク２４は、該広域遮光部２６がレンズ鏡胴３を臨む側となるよう配設する。このため、レンズ鏡胴３の外周面での反射光を該広域遮光部２６が遮断し、受光素子２０内に侵入することが防止される。【選択図】　　　　図１
2004045582.tif 000002
【特許請求の範囲】
【請求項１】
カメラの前面に設けた測光窓から被写体光を入射させ、集光レンズで集光させて受光素子に入射し、該受光素子で受光した被写体輝度情報に基づいて露出を制御するカメラの測光装置において、
前記測光窓の後方に開口を有する遮光マスクを配設し、
前記遮光マスクの一部に、他部と比べてより大きい範囲を遮光する形状にした広域遮光部を形成したことを特徴とするカメラの測光装置。
【請求項２】
前記遮光マスクの開口の縁部は、円弧に沿った部分と該円弧の弦に沿った部分とを連続して形成し、弦に臨んだ部分でより大きな範囲を遮光する広域遮光部を形成したことを特徴とする請求項１に記載のカメラの測光装置。
【請求項３】
前記広域遮光部を撮影レンズの鏡胴を臨んだ位置に配したことを特徴とする請求項１または請求項２に記載のカメラの測光装置。
【請求項４】
前記受光素子と集光レンズ、測光窓などからなる受光装置の光軸を撮影レンズの鏡胴の外面に近接させて設けたことを特徴とする請求項１ないし請求項３のいずれかに記載のカメラの測光装置。
【請求項５】
前記遮光マスクは可撓性を備えさせて、前記集光レンズの入射側面に貼着したことを特徴とする請求項１ないし請求項４に記載のカメラの測光装置。
【発明の詳細な説明】
【０００１】
【発明の属する技術分野】
この発明は、自動露出装置付カメラの露出を求めるために、被写体光を受光する測光装置に関し、特に、測光装置の受光素子に入射する測定光に、撮影光と等価な光を入射させることができるようにしたカメラの測光装置に関する。
【０００２】
【従来の技術】
写真撮影に未熟な者であっても、シャッタチャンスを逃すことなく、手軽に綺麗な写真を写すことができるよう、自動合焦装置や自動露出装置が組み込まれたカメラが普及している。自動合焦装置は、カメラを被写体に向けてシャッタボタンを半押しするなど所定の操作によって被写体距離を測距して自動的に被写体にピントを合わせる装置である。
【０００３】
前記自動露出装置は、シャッタボタンを押し込む撮影操作によって被写体輝度を測光して自動的に露出を決定する装置である。被写体輝度の測光には、ＣｄＳ素子などの受光素子が用いられ、被写体輝度の測光に必要な光を、集光レンズによって受光素子に結像させて入射するようにしてある。この測光用光を受光素子に入射するために、例えば実用新案登録第２５１５０３６号公報に記載されているように集光レンズと受光素子との間に遮光マスクや絞りが設けられて、測光に不要な光が受光素子に入射することを遮断している。また、特開平１１−２８５３号公報に記載されているように、受光窓の内側に遮光層が設けられて受光窓に対する透光範囲が制限されるようにし、さらに受光窓と測定素子用受光体との間に受光体絞りが設けられた入射光制限部材が設けられて、受光体絞りによって入射範囲が制限されて測光に不要な光の入射を制限すると共に、入射光制限部材の内面を黒色にして該内面での乱反射が防止されるようにしてある。
【０００４】
【発明が解決しようとする課題】
被写体を撮影する際には撮影レンズを透過した光により露光が付与されることになるが、撮影レンズと受光素子の位置が離れている場合には、露光に供される撮影光と受光素子に入射する測定光との間に空間的なパララックスが生じてしまうおそれがあり、この撮影光と測定光とを極力等価なものとするため、受光素子を撮影レンズの近傍に配置することが好ましい。
【０００５】
ところで、写真撮影をより楽しむことができるよう、撮影レンズの焦点距離を変更することができるズームレンズ装置や焦点距離切替装置などの可変焦点装置がカメラに搭載されている。この可変焦点装置で焦点距離を切り替える場合には、撮影レンズの鏡胴を光軸方向に進退させるようにしてある。近年では、焦点距離の変更の際の変倍率が大きくなってきており、ますます鏡胴がより前方に繰り出されるようになっている。このため、鏡胴の側面の面積が増大し、該側面で多くの外光が反射するよになった。特に、普及型カメラに高級感を備えさせるために、鏡胴の外周面に金属的光沢が現出するよう塗装などの加工がされた場合には、より反射光が増加する。また、逆光により近い状態での撮影の際には、ますます反射光が増加する。
【０００６】
鏡胴の外周面での反射光は、前記受光素子の方向にも進んでゆき、受光素子の前方に配された受光窓から受光装置内に入射しようとするが、前記遮光層などによって阻止される。しかし、鏡胴の外周面の面積が多くなって反射光が増加した場合には、より多くの光が受光装置内に入射しようとし、前記遮光層では阻止できない光が侵入するおそれが生じる。しかも、測定光を撮影光と等価なものとするために鏡胴の近傍に受光素子が配置されている場合には、反射光が減衰することなく到達するから、さらに強い光が侵入するおそれが生じる。また、前記受光窓の端部などに入射した反射光が受光装置内に侵入するおそれが生じる。このように侵入した光は受光装置内で乱反射して受光素子に到達してしまうおそれがある。
【０００７】
そこで、この発明は、入射光が多くなったり、強くなった場合であっても確実に測定光を受光素子に入射できるようにしたカメラの測光装置を提供することを目的としている。
【０００８】
【課題を解決するための手段】
前記の目的を達成するための技術的手段として、この発明に係るカメラの測光装置は、カメラの前面に設けた測光窓から被写体光を入射させ、集光レンズで集光させて受光素子に入射し、該受光素子で受光した被写体輝度情報に基づいて露出を制御するカメラの測光装置において、前記測光窓の後方に開口を有する遮光マスクを配設し、前記遮光マスクの一部に、他部と比べてより大きい範囲を遮光する形状にした広域遮光部を形成したことを特徴としている。
【０００９】
被写体光とその他の外光は前記測光窓から入射する。この際、被写体光から入射する測光に供される光は集光レンズに入射し、前記受光素子上に結像し被写体輝度の測定に供される。測光の不要な外光は前記遮光マスクで遮断されて受光素子に入射することが阻止される。また、外光の一部に光量の大きい光が存する場合には、その光線が入射するする部分に前記広域遮光部が存するように遮光マスクを設定する。これにより、当該大きな光量の光が遮断されて受光装置に入射することが阻止される。したがって、受光素子には被写体輝度の測定に必要な光線のみを極力入射させることができる。
【００１０】
また、請求項２の発明に係るカメラの測光装置は、前記遮光マスクの開口の縁部は、円弧に沿った部分と該円弧の弦に沿った部分とを連続して形成し、弦に臨んだ部分でより大きな範囲を遮光する広域遮光部を形成したことを特徴としている。
【００１１】
一般に集光レンズは外形が円形に形成されていて、その周辺部を透過する光に不要な外光が含まれるおそれがあるから、遮光マスクは集光レンズの周辺部を透過する光を遮断するよう、集光レンズの外径よりも適宜に小さい内径で円形の開口を備えた形状に形成される。この円形の一部を弦で結ばずに円弧で結んで開口を円形の一部を円弧状に欠いた形状その他とすることもできるが、円形の縁部の一部を該円の弦で結んだ形状にして該円形の一部に前記広域遮光部を形成した形状とすれば、遮光マスクの加工が容易となる。
【００１２】
また、請求項３の発明に係るカメラの測光装置は、前記広域遮光部を撮影レンズの鏡胴を臨んだ位置に配したことを特徴としている。
【００１３】
例えば、撮影レンズの焦点距離を長くするために鏡胴を前方へ突出させると、該鏡胴の露呈した外周面の面積が大きくなり、最長焦点距離位置で最前方まで繰り出されて最大面積となる。このとき、鏡胴の外周面での光の反射量が最大となる。このため、前記広域遮光部を鏡胴を臨む位置に配することによりこの光量の大きい反射光が、受光素子や集光レンズなどからなる受光装置内へ入射することが極力阻止される。
【００１４】
また、請求項４の発明に係るカメラの測光装置は、前記受光素子と集光レンズ、測光窓などからなる受光装置の光軸を撮影レンズの鏡胴の外面に近接させて設けたことを特徴としている。
【００１５】
カメラのデザイン上、カメラ前面上部に測光窓が配されて、その後方に集光レンズや受光素子が配された構造とされた場合でも、前記広域遮光部を撮影レンズの鏡胴に臨ませて設ければ、該鏡胴の外周面からの反射光を遮断して被写体光を効率よく取り込んで精度の高い測光データが取得される。しかし、鏡胴の近傍に配された受光装置に、広域遮光部を該鏡胴に臨ませて設置すれば、該広域遮光部が効果的に用いられることになる。これは、鏡胴の近傍に配された受光装置へ入射する該鏡胴外周面での反射光は、離隔した位置にある受光装置に入射する光ほど減衰されずに強度の大きい光が入射するおそれがあるからである。
【００１６】
また、請求項５の発明に係るカメラの測光装置は、前記遮光マスクは可撓性を備えさせて、前記集光レンズの入射側面に貼着したことを特徴としている。
【００１７】
集光レンズに貼着することにより遮光マスクの配設構造を簡便にすることができる。しかも、遮光マスクに可撓性を備えさせてあれば、集光レンズの表面に倣って撓んだ状態となり、集光レンズに密着させて設けることができる。したがって、集光レンズの端部に入射する光を極力阻止でき、該端部での反射光が生じることが確実に防止される。
【００１８】
【発明の実施の形態】
以下、図示した好ましい実施の形態に基づいて、この発明に係るカメラの測光装置を具体的に説明する。
【００１９】
図４は、この発明に係る測光装置を具備するのに適した普及型のカメラ１の外観を示す斜視図である。カメラ１の前面は前カバー２で覆われ、中央部にはズームレンズ装置の撮影レンズを保持するレンズ鏡胴３が配されて、このレンズ鏡胴３が光軸方向に進退し、撮影レンズが同方向に進退させられて焦点距離が変更される。このレンズ鏡胴３は、図１に示すようにカメラ本体１０に設けられており、前記前カバー２がカメラ本体１０の前部側から側部の大半を覆っている。レンズ鏡胴３は、図２に示すように前カバー２に形成された開口部２ａに露呈しており、この開口部２ａの周縁部には化粧リング４が組み付けられている。レンズ鏡胴３の上方には、ストロボ撮影時にストロボ光を発するストロボ発光窓５と、ファインダの対物レンズが臨んだファインダ対物窓６、オートフォーカス装置用の受光手段が臨んだＡＦ受光窓７、外部からカメラを操作するリモコンからの信号光を受光するリモコン受光手段が臨んだリモコン受光窓８などが配設されている。また、カメラ１の上面には、シャッタボタン９が配されている。前カバー２の側面には裏蓋１１の閉成時に該裏蓋１１の一部に係合して不用意に開放してしまうことを防止すると共に、開放する際に操作されるロック部材１２が配されている。
【００２０】
前記レンズ鏡胴３の斜め上方の位置には、自動露出装置の受光窓であるＡＥ測光窓２１が配設されている。このＡＥ測光窓２１の後方には、集光レンズ２２とＣｄＳによる受光素子２３が設けられている。これらＡＥ測光窓２１と集光レンズ２２、受光素子２３とにより構成された受光装置２０の光軸Ｓは、レンズ鏡胴３に極力接近させて配されている。そして、前記集光レンズ２２の表面に遮光マスク２４が貼着されている。また、受光素子２３の前方には絞り部２５が形成されている。
【００２１】
前記遮光マスク２４は、図３に示すように、中央部に開口２４ａ　が形成されており、開口２４ａ　以外の部分は遮光性備えると共に、光を反射しにくい暗色とされている。また、この開口２４ａ　の縁部はほぼ円弧に沿った主絞り部２４ｂ　と、この円弧の弦による縁部によって形成された副絞り部２４ｃ　とが連続した形状により形成されている。この副絞り部２４ｃ　の外側に位置した部分によって広域遮光部２６が形成されて、該広域遮光部２６に達する光が遮断されるようにしてある。図１に示すように、遮光マスク２４は、前記広域遮光部２６がレンズ鏡胴３を臨むように、前記集光レンズ２２に貼着されて設けられている。すなわち、前記副絞り部２４ｃ　を形成する弦が、撮影レンズの光軸と受光装置２０の光軸Ｓとを結ぶ直線とほぼ直交するように、開口２４ａ　を位置させてある。また、遮光マスク２４には可撓性を有する素材が用いられ、薄肉のシート状に形成されて集光レンズ２２の表面に倣った状態に変形するようにしてある。
【００２２】
以上により構成されたこの発明の測光装置に係る実施形態について、その作用を以下に説明する。
【００２３】
撮影を行うためにカメラ１を被写体に向けて、例えば前記シャッタボタン９を半押しすると、オートフォーカス装置が作動してＡＦ測光窓７を透過した被写体光によって被写体までの距離が測距される。さらに、シャッタボタン９を押下して最後まで押し込むと、前記ＡＥ測光窓２１から入射した被写体光に基づいて露出が算出される。このとき、ＡＥ測光窓２１から入射した光には、レンズ鏡胴３の外周面で反射した光その他の被写体光とは無関係の外光が入射するおそれがあり、入射した光がＡＥ測光窓２１の端面で反射して迷光となって受光装置２０の内部に侵入するおそれがある。しかし、前記遮光マスク２４によって斯かる迷光の侵入が阻止される。
【００２４】
特に、レンズ鏡胴３の外周面で反射した光は、前記広域遮光部２６に達することになり、受光装置２０内への侵入が阻止される。しかも、ズームレンズ装置の変倍率が大きくなってレンズ鏡胴３が大きく突出することによりその外周の面積が大きくなって反射光量が多くなった場合でも、広域遮光部２６によって該外周面での反射光が受光装置２０内に侵入することが阻止される。したがって、ＡＥ測光窓２１から入射する光は遮光マスク２４以外の開口２４ａ　の部分から集光レンズ２２に入射するので、ほとんどの光は被写体輝度に関するものとなる。また、集光レンズ２２を透過した光で被写体輝度に関係しない迷光は、前記絞り部２５によって受光素子２３への入射が阻止される。
【００２５】
したがって、受光素子２３へ入射する光は被写体輝度に関する光となって、該受光素子２３で取得される被写体輝度に関するデータは高精度なものとなる。そして、この測光データに基づいて求められた露出に従ってシャッタが開いてフィルムに露光が付与されることになる。このため、被写体輝度に確実に応じた露出で撮影が行われ、極力適正露出での撮影が行われることになる。
【００２６】
この実施形態に係る測光装置によれば、ＡＥ測光窓２１がレンズ鏡胴３に隣接して配設されているから、撮影レンズを透過する撮影光とほぼ等価の光が測定光として入射されることになり、被写体輝度に応じた適切な露出が求められる。
【００２７】
なお、この実施形態では、円弧の一部を該円弧の弦で結んで広域遮光部２６を形成した遮光マスク２４としたものを例示したが、広域遮光部２６は他の形状であっても構わず、外光を効率よく遮断するものであれば非対称形であっても構わない。すなわち、より多くの外光が入射するおそれがある部分に、他の部分よりも広範囲にわたって遮光する広域遮光部が形成されていればよい。
【００２８】
【発明の効果】
以上説明したように、この発明に係るカメラの測光装置によれば、入射光量が特に多い部分に対応して前記広域遮光部を配することにより、偏った方向から入射する外光を確実に遮断することができる。このため、被写体からの光のうち、測光に必要な光のみを極力入射させることができる。
【００２９】
また、請求項２の発明に係るカメラの測光装置によれば、円弧状の開口を有する遮光マスクの該円弧の一部を残した状態で遮光マスクを加工することができるから、簡単な形状で広域遮光部を形成することができ、容易に成形することができる。
【００３０】
また、請求項３の発明に係るカメラの測光装置は、レンズ鏡胴が大きく前方に突出してその外周面の面積が増加し、外周面での反射光の量が増大しても、反射光は広域遮光部に遮断されて受光装置内に侵入することが極力阻止される。
【００３１】
また、請求項４の発明に係るカメラの測光装置によれば、受光装置の光軸を撮影レンズの鏡胴に近接させることにより、該撮影レンズに入射する被写体光と受光装置に入射する被写体光とを等価なものに近づけることができ、しかも、広域遮光部によってレンズ鏡胴での反射光を確実に遮断することができるので、撮影に必要となる適切な露出に応じた測光データを取得することができ、より適切な露出で撮影を行うことができる。
【００３２】
また、請求項５の発明に係るカメラの測光装置によれば、集光レンズに貼着することにより遮光マスクの配置スペースを小さくすることができ、受光装置を大きくすることがなく、カメラの小型化を阻害することがない。
【図面の簡単な説明】
【図１】この発明に係る測光装置を備えたカメラ本体の一部省略斜視図である。
【図２】図１に示す斜視図の中央部を水平面で切断した一部省略断面図である。
【図３】この発明に係る測光装置が備えた遮光マスクの正面図である。
【図４】この発明に係る測光装置を備えたカメラの斜視図である。
【符号の説明】
１　カメラ
３　レンズ鏡胴
７　ＡＦ受光窓
９　シャッタボタン
１０　カメラ本体
２０　受光装置
２１　ＡＥ測光窓（受光窓）
２２　集光レンズ
２３　受光素子
２４　遮光マスク
２４ａ　開口
２４ｂ　主絞り部
２４ｃ　副絞り部
２５　絞り部
２６　広域遮光部
【図１】
2004045582.tif 000003
【図２】
2004045582.tif 000004
【図３】
2004045582.tif 000005
【図４】
2004045582.tif 000006